(57)【要約】【課題】  ディスプレイパネルの発光面の温度分布のムラを回路的な手段で緩和する。【解決手段】  発光面１００は発光により熱を発生し更に発生した熱の放散の偏りにより温度分布にムラがある。発光面１００は中央の開放領域１００Ａとこれを囲む周辺の遮光領域１００Ｍとに分かれている。開放領域１００Ａの画素は表示データに応じて発光し画像の表示を行なう表示画素であり、遮光領域１００Ｍの画素は表示データに応じて発光するが画像の表示に寄与しないダミー画素である。表示データ供給部２はディスプレイパネル１に供給する表示データのうちダミー画素に割り当てる部分をあらかじめ加工し、以ってダミー画素を適切な輝度で発光させこれに伴って発生する熱で発光面１００の温度分布のムラを均一化する。【選択図】図１
2006018170.tif 000002
【特許請求の範囲】
【請求項１】
ディスプレイパネルとこれに表示データを供給する表示データ供給部とを含み、
前記ディスプレイパネルは、マトリクス状に配された画素からなる画素アレイと、該ディスプレイパネルに内蔵または外付けされる駆動回路とを有し、
前記画素アレイは、個々の画素に発光体を含み全体として発光面を形成し、
前記駆動回路は、該表示データに応じて各画素を駆動し、この結果各発光体は表示データの表す階調に応じた輝度で発光し、該発光面に画像を表示する画像表示装置において、
前記発光面は各発光体の発光により熱を発生し更に発生した熱の放散の偏りにより温度分布にムラがあり、
前記発光面は中央の開放領域とこれを囲む周辺の遮光領域とに分かれ、
前記開放領域の画素は表示データに応じて発光し画像の表示を行なう表示画素であり、前記遮光領域の画素は表示データに応じて発光するが画像の表示に寄与しないダミー画素であり、
前記表示データ供給部は該ディスプレイパネルに供給する表示データのうち該ダミー画素に割り当てる部分をあらかじめ加工し、以って該ダミー画素を適切な輝度で発光させこれに伴って発生する熱で該発光面の温度分布のムラを均一化することを特徴とする画像表示装置。
【請求項２】
前記発光面は、中央部を囲む周辺部からその外側の非発光面に向う熱伝導により、温度分布が該中央部よりも周辺部で低くなるムラを有しており、
前記表示データ供給部は、中央部よりも周辺部が低くなる温度分布のムラを打ち消すように、ダミー画素に供給する表示データを加工することを特徴とする請求項１記載の画像表示装置。
【請求項３】
前記発光面は、上下方向に沿った周囲空気の対流により温度分布が上方より下方が低くなるムラを有しており、
前記表示データ供給部は、上方より下方が低くなる温度分布のムラを打ち消すように、ダミー画素に供給する表示データを加工することを特徴とする請求項１記載の画像表示装置。
【請求項４】
前記表示データ供給部は、外部からフレーム単位で入力される表示データから各画素の階調を平均化したフレーム階調平均値を抽出する表示データ情報検出手段を備え、該フレーム階調平均値に応じて、ダミー画素に供給すべき表示データを加工することを特徴とする請求項１記載の画像表示装置。
【請求項５】
ディスプレイパネルとこれに表示データを供給する表示データ供給部とを含み、前記ディスプレイパネルは、マトリクス状に配された画素からなる画素アレイと、該ディスプレイパネルに内蔵または外付けされる駆動回路とを有し、前記画素アレイは、個々の画素に発光体を含み全体として発光面を形成し、前記駆動回路は、該表示データに応じて各画素を駆動し、この結果各発光体は表示データの表す階調に応じた輝度で発光し、該発光面に画像を表示するが、該発光面は各発光体の発光により熱を発生し更に発生した熱の放散の偏りにより温度分布にムラが生じる画像表示装置の駆動方法において、
前記発光面を中央の開放領域とこれを囲む周辺の遮光領域とに分け、
前記開放領域の画素は表示データに応じて発光し画像の表示を行なう表示画素とし、
前記遮光領域の画素は表示データに応じて発光するが画像の表示に寄与しないダミー画素とし、
前記表示データ供給部は該ディスプレイパネルに供給する表示データのうち該ダミー画素に割り当てる部分をあらかじめ加工し、以って該ダミー画素を適切な輝度で発光させこれに伴って発生する熱で該発光面の温度分布のムラを均一化することを特徴とする画像表示装置の駆動方法。
【発明の詳細な説明】
【技術分野】
【０００１】
本発明は、ディスプレイパネルを含む画像表示装置に関する。より詳しくは、ディスプレイパネルの画面を構成する発光面の温度分布のムラを回路的な手段で緩和する技術に関する。
【背景技術】
【０００２】
フラットパネルディスプレイは、コンピュータディスプレイ、携帯端末、テレビなどの製品で広く普及している。現在、主には液晶ディスプレイパネルが多く採用されているが、依然、視野角の狭さや、応答速度の遅さが指摘され続けている。一方、自発光素子で形成された有機ＥＬディスプレイは、前記の視野角や応答性の課題を克服できるのに加え、バックライト不要の薄い形態、高輝度、高コントラストを達成できるため、液晶ディスプレイに代わる次世代表示装置として期待されている。
【０００３】
ところで、有機ＥＬディスプレイにおける発光素子は、その発光量と時間に比例して劣化する特性があることは一般的にも知られているが、また同時に、その劣化速度は、素子自体の温度によって変わってしまうことも知られており、大きな課題になっている。有機ＥＬの発光素子は、自発光型であるため動作時には発熱し、より高い輝度を実現するほど、多くの電流量が必要となることで、より高い温度で発熱する。高い温度になるほど劣化を加速させていくことも知られている。
【０００４】
一方、フラットパネルディスプレイは、下記二つの温度ムラが必ず発生してしまう。これは表示パターンによるものではなく、形状や配置によるものである。一つ目は、外周発光部から外側の隣接額縁非発光部への熱伝導による温度低下である。額縁部には発光素子は存在しないため、常に発光部以下の温度になっており、ここへ熱が伝導することによって、外周発光部の温度が下げられるものである。これは、ガラスを使用した有機ＥＬディスプレイパネルでは、外周から内側約２０ｍｍ程度の領域が最も影響を受けることが測定により確認できた。
【０００５】
二つ目は、空気の対流により発光面下部が冷やされて起こる温度低下である。フラットパネルディスプレイは、サイズが大きくなるほど一般的に垂直に立てて使用することが多く、発光面近傍において、空気の対流が起こりやすい。下端では周囲環境に近い温度の空気が対流するため、発光部温度が下げられる動きになる。ただし、上方向に行くにしたがって発光部の熱によって発光部近傍を対流する空気が温められるため、ある高さ以上では発光面温度が下がらなくなる。これも測定により、下端から約２００ｍｍの領域で最も影響を受けることが確認できた。
【０００６】
つまり、ディスプレイパネルの発光素子で形成された発光面内においては、たとえ同階調のデータで均一に発光していたとしても、前述したような原因の温度ムラが発生しており、温度の高い領域と低い領域で劣化速度に差が生じ、温度が高い部分で輝度低下がいち早く進行してしまう結果、温度ムラと同じ領域が、輝度寿命劣化ムラ（定形的な輝度ムラ）になって現れてしまうという問題があり、発光面内を可能な限り均一な温度分布にする必要があった。
【０００７】
温度ムラの対策に関する従来技術としては、以下のようなものがある。
【特許文献１】特開２００３−２９５７７６
【特許文献２】特開２００３−２６３１３１
【特許文献３】特開２００３−３３０４１９
【発明の開示】
【発明が解決しようとする課題】
【０００８】
特許文献１は、発光素子から検出した温度と、温度上昇の推移を想定した情報から温度調節器を制御し、領域化された部分を温めたり、冷やしたりして発光面内での温度を均一に調整する。これは、実際に温度を検出し、温度が一定になるようにコントロールできるが、温度の検出構造や温度調節の構造を設ける必要があり、構造が複雑になりコストアップにもつながるものであるという問題があった。
特許文献２は、表示データの輝度情報を蓄積し、蓄積された情報から劣化の推定量が平均化されるように、表示データを変更する。これは、表示データを変更するため、比較的簡易に１画素単位での輝度ムラ補正が可能であるが、発光素子の発光量と時間による劣化特性のみを考慮するもので、温度ムラによる劣化速度の差による輝度ムラを補正できないという問題があった。
特許文献３は、検出した周囲の温度から、装置内に記憶してある発光素子の電圧電流特性の温度特性を参照し、適正な輝度になるように表示データを補正する。これはどの環境下においても、発光輝度を一定にさせようとするもので、温度センサーなどの検出手段が必要な上に、検出するのは環境温度であるため、面内の温度ムラを検出するものではなかった。即ち、面内の温度ムラによる劣化速度の差によって生じる輝度ムラを補正できないという問題があった。
【０００９】
つまり、今まで温度ムラを補正しようとする場合には、放熱したり熱を与えたりする構造を新たに設けて行う方式がほとんどで、コストアップを伴うという問題があった。また、焼付きや輝度ムラを補正するものにおいては、表示データによって起こる輝度劣化のムラを補正するものばかりであり、温度ムラから発生する劣化速度の差を補正できないという問題があった。
【課題を解決するための手段】
【００１０】
上述した従来の技術の課題に鑑み、本発明はディスプレイパネルの発光面の温度分布のムラを回路的な手段で緩和することを目的とする。係る目的を達成する為に以下の手段を講じた。即ち本発明は、ディスプレイパネルとこれに表示データを供給する表示データ供給部とを含み、前記ディスプレイパネルは、マトリクス状に配された画素からなる画素アレイと、該ディスプレイパネルに内蔵または外付けされる駆動回路とを有し、前記画素アレイは、個々の画素に発光体を含み全体として発光面を形成し、前記駆動回路は、該表示データに応じて各画素を駆動し、この結果各発光体は表示データの表す階調に応じた輝度で発光し、該発光面に画像を表示する画像表示装置において、前記発光面は各発光体の発光により熱を発生し更に発生した熱の放散の偏りにより温度分布にムラがあり、前記発光面は中央の開放領域とこれを囲む周辺の遮光領域とに分かれ、前記開放領域の画素は表示データに応じて発光し画像の表示を行なう表示画素であり、前記遮光領域の画素は表示データに応じて発光するが画像の表示に寄与しないダミー画素であり、前記表示データ供給部は該ディスプレイパネルに供給する表示データのうち該ダミー画素に割り当てる部分をあらかじめ加工し、以って該ダミー画素を適切な輝度で発光させこれに伴って発生する熱で該発光面の温度分布のムラを均一化する。
【００１１】
一態様では、前記発光面は、中央部を囲む周辺部からその外側の非発光面に向う熱伝導により、温度分布が該中央部よりも周辺部で低くなるムラを有しており、前記表示データ供給部は、中央部よりも周辺部が低くなる温度分布のムラを打ち消すように、ダミー画素に供給する表示データを加工する。他の態様では、前記発光面は、上下方向に沿った周囲空気の対流により温度分布が上方より下方が低くなるムラを有しており、前記表示データ供給部は、上方より下方が低くなる温度分布のムラを打ち消すように、ダミー画素に供給する表示データを加工する。好ましくは、前記表示データ供給部は、外部からフレーム単位で入力される表示データから各画素の階調を平均化したフレーム階調平均値を抽出する表示データ情報検出手段を備え、該フレーム階調平均値に応じて、ダミー画素に供給すべき表示データを加工する。
【００１２】
本発明は又、ディスプレイパネルとこれに表示データを供給する表示データ供給部とを含み、前記ディスプレイパネルは、マトリクス状に配された画素からなる画素アレイと、該ディスプレイパネルに内蔵または外付けされる駆動回路とを有し、前記画素アレイは、個々の画素に発光体を含み全体として発光面を形成し、前記駆動回路は、該表示データに応じて各画素を駆動し、この結果各発光体は表示データの表す階調に応じた輝度で発光し、該発光面に画像を表示するが、該発光面は各発光体の発光により熱を発生し更に発生した熱の放散の偏りにより温度分布にムラが生じる画像表示装置の駆動方法において、前記発光面を中央の開放領域とこれを囲む周辺の遮光領域とに分け、前記開放領域の画素は表示データに応じて発光し画像の表示を行なう表示画素とし、前記遮光領域の画素は表示データに応じて発光するが画像の表示に寄与しないダミー画素とし、前記表示データ供給部は該ディスプレイパネルに供給する表示データのうち該ダミー画素に割り当てる部分をあらかじめ加工し、以って該ダミー画素を適切な輝度で発光させこれに伴って発生する熱で該発光面の温度分布のムラを均一化することを特徴とする。
【発明の効果】
【００１３】
本発明によれば、使用する有機ＥＬディスプレイパネルは、可視発光画素配置領域（開放領域）の外側が、パネル外に光を出さないよう遮光され、この遮光領域で発光画素と同構造で形成されたダミー発光画素が、可視発光画素に連続して単数もしくは複数列／行で配置されている。ダミー画素を発光させることで発熱させ、外周可視発光部から画素配列の無い非発光部への熱伝導による温度低下と、空気の対流により可視発光面下部が冷やされて起こる温度低下を防ぎ、可視発光面内に亘って温度を均一に保つようにする。ダミー画素は、通常表示データと同様に階調データを与えて発光させ、その階調データは、温度低下の影響を受けない領域と同温度になるように、入力表示データの１フレーム階調平均値をもとに算出される。
【００１４】
本発明によれば、可視発光領域と関係ない遮光領域に、可視発光画素と連続して外周に配置されパネル外に光を出さないように遮光されたダミー画素を設け、そのダミー画素の発光量、即ち発熱量を、入力表示データの平均値に応じて、すべての領域で同じ温度になるようにコントロールすることができるため、発光外周部と発光下部の領域で発生する温度低下を回避でき、温度を発光面内にわたって均一に保つことができるという効果がある。即ち、有機ＥＬ発光素子の劣化速度の差を抑えられ、画素劣化による定形的な輝度ムラを防止できるという効果がある。
【００１５】
また本発明によれば、ダミー画素は可視発光領域には存在しないため、温度を発光面内にわたって均一に保つにあたって、表示品位を全く損なわせないという効果がある。
【００１６】
更に本発明によれば、ダミー画素は通常の発光画素を形成するプロセスの延長で実現でき、駆動システムについても、駆動画素が微少に増える以外に大きな手段変更を必要とせず、比較的簡単に実現できるという効果がある。
【発明を実施するための最良の形態】
【００１７】
以下図面を参照して本発明の実施の形態を詳細に説明する。図１は、本発明にかかる画像表示装置の全体構成を示すブロック図である。図示するように、本画像表示装置は、ディスプレイパネル１とこれに表示データを供給する表示データ供給部２とを含む。ディスプレイパネル１は、マトリクス状に配された画素１０１からなる画素アレイと、ディスプレイパネル１に内蔵または外付けされる駆動回路（図略）とを有する。画素アレイは、個々の画素１０１に発光体を含み全体として発光面１００を形成する。駆動回路は、表示データに応じて各画素１０１を駆動し、この結果各発光体は表示データの表す階調に応じた輝度で発光し、発光面１００に画像を表示する。
【００１８】
発光面１００は各発光体の発光により熱を発生し更に発生した熱の放散の偏りにより温度分布にムラがある。発光面１００は中央の開放領域１００Ａとこれを囲む周辺の遮光領域１００Ｍとに分かれている。開放領域１００Ａの画素１０１は表示データに応じて発光し画像の表示を行なう表示画素である。これに対し、遮光領域１００Ｍの画素１０１は表示データに応じて発光するが画像の表示に寄与しないダミー画素である。ダミー画素は、上部ダミー画素１０１Ｔ、、下部ダミー画素１０１Ｂ、左部ダミー画素１０１Ｌ及び右部ダミー画素１０１Ｒに分かれている。ダミー画素１０１Ｔ，１０１Ｂ，１０１Ｌ，１０１Ｒは、可視発光画素配置領域１００Ａの外側で、パネル１外に光を出さないよう遮光された領域内１００Ｍに、発光画素１０１と同構造で、可視発光画素１０１に連続して単数もしくは複数列／行で配置される。表示データ供給部２はディスプレイパネル１に供給する表示データのうちダミー画素１０１Ｔ，１０１Ｂ，１０１Ｌ，１０１Ｒに割り当てる部分をあらかじめ加工し、以ってダミー画素１０１Ｔ，１０１Ｂ，１０１Ｌ，１０１Ｒを適切な輝度で発光させこれに伴って発生する熱で発光面１００の温度分布のムラを均一化する。
【００１９】
一態様では、発光面１００は、中央部を囲む周辺部からその外側の非発光面２００に向う熱伝導により、温度分布が中央部よりも周辺部で低くなるムラを有している。これに対処するため、表示データ供給部２は、中央部よりも周辺部が低くなる温度分布のムラを打ち消すように、ダミー画素に供給する表示データを加工する。他の態様では、発光面１００は、上下方向に沿った周囲空気の対流により温度分布が上方より下方が低くなるムラを有している。これに対処するため、表示データ供給部２は、上方より下方が低くなる温度分布のムラを打ち消すように、ダミー画素に供給する表示データを加工する。
【００２０】
好ましくは、示データ供給部２は、外部からフレーム単位で入力される表示データから各画素の階調を平均化したフレーム階調平均値を抽出する表示データ情報検出手段２１を備え、フレーム階調平均値に応じて、ダミー画素に供給すべき表示データを加工する。具体的には、表示データ供給部２は、入力表示データ信号より表示データ信号のフレーム階調平均値などの情報を抽出する表示データ情報検出手段２１に加え、表示データ情報検出手段２１によって検出されたフレーム階調平均値から、左右部ダミー画素１０１Ｌ，１０１Ｒの階調データを生成する左右部ダミー画素データ生成手段２２ＬＲと、同じく上部ダミー画素１０１Ｔの階調データを生成する上部ダミー画素データ生成手段２２Ｔと、同じく下部ダミー画素１０１Ｂのデータを生成する下部ダミー画素データ生成手段２２Ｂと、これらを包含するダミー画素発光データ生成手段２２によって生成されたダミー画素階調情報を受け、入力表示データ信号にダミー画素領域情報を追加するダミー画素発光データ追加回路２３と、ダミー画素発光データ追加回路２３によって出力された表示データ信号を受け表示を行う有機ＥＬディスプレイパネル１から構成される。
【００２１】
入力表示データ信号の１フレーム階調平均値が表示データ情報検出手段２１によって検出される。表示データ情報検出手段２１によって検出された１フレーム階調平均値情報は、ダミー画素発光データ生成手段２２に入力される。ダミー画素発光データ生成手段２２は、左右部ダミー画素の発光階調を決定する左右部ダミー画素発光データ生成手段２２ＬＲと、下部ダミー画素の発光階調を決定する下部ダミー画素発光データ生成手段２２Ｂと、上部ダミー画素の発光階調を決定する上部ダミー画素発光データ生成手段２２Ｔとに分かれており、入力された１フレーム階調平均値情報をもとに、それぞれの領域での発光階調が決定される。発光階調の算出については以下のような方法がある。
【００２２】
先ず発光部を面内均一の最大階調にて発光動作させ、大地に対して水平に置いた状態で温度分布を測定する。温度分布では、外周発光部に、外側の隣接額縁非発光部への熱伝導による温度低下による図２のような温度ムラが観測される。図２の平面図はパネル１の面温度分布を模式的に示している。図示する様に、発光面１００の中央部に比べ、周辺部の温度が低くなっており、温度ムラが発生する領域となっている。発光面１００の中央部に比べ周辺部は熱伝導などにより熱が失われる為、温度が低くなっている。
【００２３】
図２に含まれるグラフは、パネル１の角部で且つ対角線に沿った部分（一点鎖線で示してある）の温度分布を表わしている。このグラフは横軸に距離を取り、縦軸に温度を取ってある。グラフから明らかな様に、発光面の中央に比べ端部は幅約２０ｍｍに亘って温度が低くなっていることが分かる。これは、ガラスを使用した有機ＥＬディスプレイパネルでは、外周から２０ｍｍ程度の領域が最も影響を受けるためで、この領域を補正対象領域とする。
【００２４】
同時に、パネルを実際の使用状態に倣い垂直に置いた状態で温度分布を測定する。ここで測定された温度分布から、上記した水平に置いた状態で測定した温度分布を減じたものが、発光面下部の、空気の対流により発光面下部が冷やされて起こる温度低下による温度ムラとして観測される。図３は、このパネル上下間における温度分布の片寄りを示した模式図である。図示する様に、発光面１００は上部に比べて下部の温度が低く、温度ムラが発生する領域となっている。これはパネル１を立てて配置した場合、周囲空気の対流により、相対的に下部が強く冷却される為である。パネル１の下部における温度分布をグラフに示してある。グラフから明らかな様に、パネル上部及び中央部に比べ、パネル下部の温度は約２００ｍｍの幅で低くなっていることが分かる。これは、下端から約２００ｍｍの領域で最も影響を受けるからで、この領域も補正対象領域とする。
【００２５】
図２及び図３から得られる温度低下を受けない領域、並びに上下左右ダミー画素最内側の領域それぞれで、階調−温度上昇特性を測定しておく。その結果、図４のようなデータが得られる場合が多い。そもそもダミー画素領域が、前述した外周可視発光部から画素配列の無い非発光部への熱伝導による温度低下と、空気の対流により可視発光部下部が冷やされて起こる温度低下の影響を受ける領域より小さければ、ダミー画素最内側で温度低下が観測される。左右部ダミー画素については、外側の画素配列の無い非発光部への熱伝導による温度低下の影響のみが、上部ダミー画素については、上部の画素配列の無い非発光部への熱伝導による温度低下の影響に対して、下部の発光領域で温められた空気の対流によって温度の低下が緩和された結果が、下部ダミー画素については、下部の画素配列の無い非発光部への熱伝導による温度低下の影響に加えて、空気の対流により冷やされて起こる温度低下影響がプラスされた結果が観測される。
【００２６】
次に、前記測定によって得られた、場所ごとの階調−温度上昇特性にもとづき、図５のようにダミー画素の階調データを決定する。まず、温度低下を受けない領域での階調−温度上昇特性に、入力表示データのフレーム階調平均値を当てはめる。これは、平均値の算出方法が可視発光面内全域全てのデータの平均値であり、表示データによって局所的に温度分布があったとしても面内全域で考えれば、全域が平均値階調で均一に発光している状態と、ほぼ等価の温度上昇をしていると考えられる一つの目安となるためである。このときの温度上昇値をαとする。そして、次に前記αの温度上昇値になるように、左右、上、下部ダミー画素の発光階調が決定される。ダミー画素の発光階調は入力表示データの平均値検出の周期に追従して変更を行う。また、この算出方法では、ダミー画素の階調データが最大階調を超えたところで発光させなければならない状況も考えられるが、画素回路の設計の際、ダミー画素のみ、同階調データでもより多くの電流が流れ発熱するように考慮し設計しておくことで容易に回避することが可能である。
【００２７】
上述のような方法で、ダミー画素発光データ生成手段から出力されるダミー画素発光データは、ダミー画素発光データ追加回路へ入力される。ダミー画素発光データ追加回路では、元々の可視発光領域での表示データに加え、ダミー画素分の発光データを加えるタイミング変更を行い、変更後の表示データを有機ＥＬディスプレイモジュールに出力する。有機ＥＬディスプレイモジュールは、前記ダミー画素発光データ追加回路によって出力された表示データ信号を受け表示を行う。
【００２８】
図６は、図１に示した有機ＥＬディスプレイパネルの構成例を示すブロック図である。このパネル１は、画素回路（ＰＸＬＣ）１０１がｍ×ｎのマトリクス状に配列された画素アレイ部１００、水平セレクタ（ＨＳＥＬ）１０３、ライトスキャナ（ＷＳＣＮ）１０４、ドライブスキャナ（ＤＳＣＮ）１０５、水平セレクタ１０３により選択され輝度情報に応じた信号が供給される信号線ＤＴＬ１０１〜ＤＴＬ１０ｎ、ライトスキャナ１０４により選択駆動される走査線ＷＳＬ１０１〜ＷＳＬ１０ｍ、及びドライブスキャナ１０５により選択駆動される走査線ＤＳＬ１０１〜ＤＳＬ１０ｍを有する。画素アレイ部１００が発光面を構成し、面温度分布にムラがある。これに対処するため、画素１０１は、通常の表示用画素に加え、ダミー画素を含んでいる。但し回路構成上は、表示用画素とダミー画素はともに画素回路１０１として同じ構成である。
【００２９】
図７は、図６に示した画素回路の一構成例を示す回路図である。図示する様に、この画素回路１０１は、基本的にｐチャネル型の薄膜電界効果トランジスタ（以下、ＴＦＴと言う）で構成されている。すなわち画素回路１０１は、ドライブＴＦＴ１１１、スイッチングＴＦＴ１１２、サンプリングＴＦＴ１１５、有機ＥＬ素子１１７、保持容量Ｃ１１１を有する。係る構成を有する画素回路１０１は、信号線ＤＴＬ１０１と走査線ＷＳＬ１０１，ＤＳＬ１０１との交差部に配されている。信号線ＤＴＬ１０１はサンプリングＴＦＴ１１５のドレインに接続し、走査線ＷＳＬ１０１はサンプリングＴＦＴ１１５のゲートに接続し、他の走査線ＤＳＬ１０１はスイッチングＴＦＴ１１２のゲートに接続している。
【００３０】
ドライブＴＦＴ１１１、スイッチングＴＦＴ１１２及び有機ＥＬ素子１１７は、電源電位Ｖｃｃと接地電位ＧＮＤの間で直列に接続されている。すなわちドライブトランジスタ１１１のソースが電源電位Ｖｃｃに接続される一方、有機ＥＬ素子（発光素子）１１７のカソードが接地電位ＧＮＤに接続されている。一般に、有機ＥＬ素子１１７は整流性がある為ダイオードの記号で表わしている。一方、サンプリングＴＦＴ１１５及び保持容量Ｃ１１１は、ドライブＴＦＴ１１１のゲートに接続している。ドライブＴＦＴ１１１のゲート・ソース間電圧をＶｇｓで表わしている。
【００３１】
画素回路１０１の動作であるが、まず走査線ＷＳＬ１０１を選択状態（ここでは低レベル）とし、信号線ＤＴＬ１０１に信号を印加すると、サンプリングＴＦＴ１１５が導通して信号が保持容量Ｃ１１１に書き込まれる。保持容量Ｃ１１１に書き込まれた信号電位がドライブトランジスタ１１１のゲート電位となる。続いて、走査線ＷＳＬ１０１を非選択状態（ここでは高レベル）とすると、信号線ＤＴＬ１０１とドライブＴＦＴ１１１とは電気的に切り離されるが、ドライブＴＦＴ１１１のゲート電位Ｖｇｓは保持容量Ｃ１１１によって安定に保持される。続いて他の走査線ＤＳＬ１０１を選択状態（ここでは低レベル）にすると、スイッチングＴＦＴ１１２が導通し、電源電位Ｖｃｃから接地電位ＧＮＤに向かって駆動電流がＴＦＴ１１１，ＴＦＴ１１２及び発光素子１１７を流れる。ＤＳＬ１０１が非選択状態になるとスイッチングトランジスタ１１２がオフし、駆動電流は流れなくなる。スイッチングＴＦＴ１１２は発光素子１１７の発光時間を制御する為に挿入されたものである。
【００３２】
ＴＦＴ１１１及び発光素子１１７に流れる電流は、ＴＦＴ１１１のゲート・ソース間電圧Ｖｇｓに応じた値となり、発光素子１１７はその電流値に応じた輝度で発光し続ける。上記の様に、走査線ＷＳＬ１０１を選択して信号線ＤＴＬ１０１に与えられた信号を画素回路１０１の内部に伝える動作を「書き込み」と呼ぶ。上述の様に、一度信号の書き込みを行なえば、次に書き換えられるまでの間、発光素子１１７は一定の輝度で発光を続ける。
【図面の簡単な説明】
【００３３】
【図１】本発明の実施形態を示すブロック図である。
【図２】図１に示した実施形態の動作説明に供する模式図である。
【図３】同じく図１に示した実施形態の動作説明に供する模式図である。
【図４】同じく図１に示した実施形態の動作説明に供するグラフである。
【図５】同じく図１に示した実施形態の動作説明に供するグラフである。
【図６】図１に示したディスプレイパネルの構成例を示すブロック図である。
【図７】同じく図１に示したディスプレイパネルの構成例を示す回路図である。
【符号の説明】
【００３４】
１・・・ディスプレイパネル、２・・・表示データ供給部、１００・・・発光面、１０１・・・画素、１０１Ｔ・・・上部ダミー画素、１０１Ｂ・・・下部ダミー画素、１０１Ｌ・・・左部ダミー画素、１０１Ｒ・・右部ダミー画素
【図１】
2006018170.tif 000003
【図２】
2006018170.tif 000004
【図３】
2006018170.tif 000005
【図４】
2006018170.tif 000006
【図５】
2006018170.tif 000007
【図６】
2006018170.tif 000008
【図７】
2006018170.tif 000009